(57)【要約】【課題】低速運転時における摩擦損失を低減した密閉型圧縮機を提供することにある。また、この密閉型圧縮機を備えることで、消費電力量を低減して信頼性の高い冷蔵庫を提供することにある。【解決手段】密閉容器３内に電動要素３０と、圧縮要素２０とを備え、圧縮要素２０は、シリンダ１と、シリンダ１内を往復動するピストン４と、ピストン４が接続される偏心部を有するクランクシャフト７と、を有し、電動要素３０は、クランクシャフト７の非偏心部に固定されたロータ６を有し、クランクシャフト７の非偏心部の外表面には、ロータ６が固定された部位の上側と下側に螺旋溝７ｇを有する。【選択図】図３
2014156803.tif 000002
【特許請求の範囲】
【請求項１】
密閉容器内に電動要素と、圧縮要素とを備え、
前記圧縮要素は、シリンダと、該シリンダ内を往復動するピストンと、該ピストンが接続される偏心部を有するクランクシャフトと、を有し、
前記電動要素は、前記クランクシャフトの非偏心部に固定されたロータを有し、
前記クランクシャフトの前記非偏心部の外表面には、前記ロータが固定された部位の上側と下側に螺旋溝を有することを特徴とする密閉型圧縮機。
【請求項２】
請求項１記載の密閉型圧縮機において、前記クランクシャフトの前記ロータが固定された部位の上側と下側に、前記クランクシャフトを軸支する軸受を設けたことを特徴とする密閉型圧縮機。
【請求項３】
請求項２記載の密閉型圧縮機において、前記螺旋溝のうち下側の一部が前記密閉容器内に貯留する潤滑油に浸かることを特徴とする密閉型圧縮機。
【請求項４】
請求項２記載の密閉型圧縮機において、前記上側の軸受と接触する前記クランクシャフトの前記非偏心部の軸径は、前記下側の軸受と接触する前記クランクシャフトの前記非偏心部の軸径よりも大きいことを特徴とする密閉型圧縮機。
【請求項５】
密閉型圧縮機と、該密閉型圧縮機と冷媒配管で連結された冷却器と、を備えた冷蔵庫において、
前記密閉型圧縮機は、請求項１〜４のいずれかに記載された密閉型圧縮機であって、５００ｍｉｎ-1を含む運転速度で運転することを特徴とする冷蔵庫。
【発明の詳細な説明】
【技術分野】
【０００１】
本発明は、密閉型圧縮機及びこれを用いた冷蔵庫に関する。
【背景技術】
【０００２】
従来の密閉型圧縮機として、例えば特開２００５‐３３７１５８号公報（特許文献１）に示されたものが知られている。この密閉型圧縮機は、主軸部の円筒空洞部に螺旋溝を刻設するとともに、円筒部材が挿設されている。この円筒部材は回転運動しないよう固定されており、さらに円筒部材の内側には主軸部に同軸上に接続したスリーブが配置されている。スリーブと円筒部材との隙間には、主軸部と円筒部材との隙間と同様に、螺旋状の潤滑油経路が形成されている。そして、密閉容器内に貯留された潤滑油は、主軸部の回転時、円筒部材内外に形成された螺旋状の潤滑油経路を上昇する。
【０００３】
また、従来の密閉型圧縮機として、例えば特開２００８‐２０８８１２号公報（特許文献２）に示されたものが知られている。この密閉型圧縮機は、エンドコイルのないクローポールモータを用いており、モータ上下にシャフトを軸支する主軸受および副軸受が配設されている。
【先行技術文献】
【特許文献】
【０００４】
【特許文献１】特開２００５‐３３７１５８号公報
【特許文献２】特開２００８‐２０８８１２号公報
【発明の概要】
【発明が解決しようとする課題】
【０００５】
しかしながら、特許文献１及び特許文献２に記載された構造を適用した場合、次のような課題があった。
【０００６】
近年、一部の冷蔵庫は消費電力量を低減するため、インバータ制御を用いて圧縮機の運転速度域の下限を低速化する傾向にある。さらに、冷蔵庫の断熱性能の向上によって、より少ない冷凍能力の運転条件、すなわちより低速で圧縮機を運転しても冷蔵庫内を十分に冷やすことが可能となっている。そのため、冷蔵庫用圧縮機は１０００ｍｉｎ-1を下回るような低速域でも運転できることが求められている。
【０００７】
密閉容器内には、ピストンやクランクシャフトなどの摺動部があり、容器内底部の潤滑油が摺動部を潤滑している。摺動部が容器内に貯留する潤滑油の油面よりも高い位置にある場合、潤滑油を汲み上げて摺動部へ供給する機構が必要となる。冷蔵庫に用いられる圧縮機の場合、この機構はシャフトの回転を利用したものが一般的である。
【０００８】
この構成において、圧縮機が低速運転している時、潤滑油の供給能力が低下するため、摺動部への給油量が低下する。すると、摺動面の潤滑性が悪化し摩擦損失の増加が懸念される。さらに、低速運転時は摺動面同士の相対速度が小さいため、軸受部に形成される油膜厚さが薄くなりやすい状況となっている。油膜が非常に薄い場合、摺動面同士の固体接触の影響により、摩擦損失の増加や、油膜破断によるかじり、摩耗といった信頼性の低下が懸念される。
【０００９】
特許文献１に記載された構造においては、低速運転時の給油量確保を目的に、螺旋状の潤滑油経路を設けている。この給油機構は主軸部の回転によって発生する潤滑油の粘性によるせん断力が駆動源となっている。給油量は、主軸部の回転速度と潤滑油経路を形成する壁面の回転半径に依存する。すなわち、螺旋状の潤滑油経路は主軸部の円筒空洞部に配置しているため、潤滑油経路を形成する壁面の回転半径は、主軸部の円筒空洞部の半径によって制限される。このことにより、主軸部の円筒空洞部の半径が小さい場合、十分な給油量が得られない可能性がある。また、低速運転時における軸受部の油膜厚さの低下については考慮がなされておらず、摩擦損失の増加や信頼性の低下が懸念される。
【００１０】
次に、特許文献２に記載された構造は、モータ高さをスロット巻線構造のモータよりも小さくすることができ、モータの上方および下方にシャフトを軸支する主軸受、副軸受を配置している。圧縮機運転中に各軸受が受ける荷重は、ピストン中心位置と主軸受、副軸受それぞれの高さ方向の間隔によって定まる。特許文献２に記載の構造の場合、小型化を目的としているため、主軸受と副軸受の間隔はスロット巻線構造のモータを用いた圧縮機よりも同等か小さくなるが、軸受が受ける荷重は大きくなる。そのため、低速運転時では軸受部に油膜が形成されにくくなり、摩擦損失の増加や信頼性の低下が懸念される。
【００１１】
そこで、上記課題を解決するために、本発明の目的は、低速運転時における摩擦損失を低減した密閉型圧縮機を提供することにある。また、この密閉型圧縮機を備えることで、消費電力量を低減して信頼性の高い冷蔵庫を提供することにある。
【課題を解決するための手段】
【００１２】
上記目的を達成するために、本発明は、一例として、密閉容器内に電動要素と、圧縮要素とを備え、前記圧縮要素は、シリンダと、該シリンダ内を往復動するピストンと、該ピストンが接続される偏心部を有するクランクシャフトと、を有し、前記電動要素は、前記クランクシャフトの非偏心部に固定されたロータを有し、前記クランクシャフトの前記非偏心部の外表面には、前記ロータが固定された部位の上側と下側に螺旋溝を有する。
【発明の効果】
【００１３】
本発明によれば、低速運転時における摩擦損失を低減した密閉型圧縮機を提供することができる。また、この密閉型圧縮機を備えることで、消費電力量を低減して信頼性の高い冷蔵庫を提供することができる。
【図面の簡単な説明】
【００１４】
【図１】本発明の実施例１における密閉型圧縮機の縦断面図である
【図２】図１の密閉型圧縮機が搭載された冷蔵庫の縦断面図である
【図３】クランクシャフトの略断面図である
【図４】実施例１の密閉型圧縮機のシャフト内部を示す縦断面図である
【図５】固定軸部材の側面図である
【図６】従来構造の密閉型圧縮機の縦断面図である
【図７】実施例１と従来構造のクランクシャフト摺動部への給油量と圧縮機運転速度との関係を示すグラフである
【図８】本発明の実施例２における密閉型圧縮機の縦断面図である
【発明を実施するための形態】
【００１５】
以下、本発明の実施形態について図１〜図８を用いて説明する。なお、各実施形態における同一符号は、同一物または相当物を示すが、同様の効果を奏する構成であれば、特にこれに限定するものではない。
【実施例１】
【００１６】
本発明の第１の実施例について、図１〜７を用いて説明する。
【００１７】
まず、本実施形態の密閉型圧縮機５０について図１を参照しながら説明する。図１は、本実施形態の密閉型圧縮機５０の縦断面図である。
【００１８】
本実施形態の密閉型圧縮機５０は、圧縮要素２０と電動要素３０とを密閉容器３内に上下に配置すると共に、クランクシャフト７で連結したレシプロ圧縮機である。圧縮要素２０及び電動要素３０は、密閉容器３内に弾性的に支持されている。
【００１９】
電動要素３０は、フレーム１ｂの下方に配置され、ステータ５及びロータ６を備えている。ステータ５はフレーム１ｂに固定され、ロータ６は圧入等の手法を用いてクランクシャフト７に固定されている。クランクシャフト７の上端部には、回転中心から偏心したクランクピン７ａが設けられている。
【００２０】
クランクシャフト７は、主軸受部１ａを貫通してフレーム１ｂの下方から上方へ延伸しており、クランクピン７ａがフレーム１ｂの上方側に位置するように設けられている。クランクシャフト７は、ロータ６と結合しており、電動要素３０の動力によりクランクシャフト７が回転する。クランクシャフト７が回転するとクランクピン７ａが偏心回転し、ピストン４が往復動する構成となっている。電動要素３０の下側には、クランクシャフト７の下端を軸支する副軸受８が設けられている。本実施例では、副軸受８にラジアルボールベアリング８aが挿入されており、ラジアルボールベアリング８ａを介してクランクシャフト７を軸支する構造となっている。なお、軸支方法はこの限りではなく、すべり軸受であっても良い。
【００２１】
圧縮要素２０は、シリンダ室を形成するシリンダ１と、シリンダ室内を往復動するピストン４と、このピストン４を駆動するコネクティングロッド２と、シリンダ１端面に組み立てられる吐出弁装置４０と、吐出室空間を形成するヘッドカバー１７と、を備えている。シリンダ１は、主軸受部１ａ及びフレーム１ｂを一体に成形している。ピストン４は、コネクティングロッド２を介してクランクピン７ａに連結され、クランクピン7ａの偏心回転によりシリンダ室内を往復運動する。
【００２２】
シリンダ１内に供給された冷媒は、ピストン４の往復動によって圧縮され、圧縮されたガス冷媒は、圧縮機外部に連通する吐出管へと送られる。
【００２３】
次に、密閉型圧縮機５０を搭載した冷蔵庫６０について、図２を参照しながら説明する。図２は、本実施形態の密閉型圧縮機５０が搭載された冷蔵庫６０の縦断面図である。冷蔵庫６０は冷蔵室６２、上段冷凍室６３、下段冷凍室６４、野菜室６５により構成される。なお、冷蔵室６２、上段冷凍室６３、下段冷凍室６４、野菜室６５の位置関係は、図２の限りではなく、各貯蔵室の配置を入れ替えたり、上下左右の位置を変更したりした構成であってもよい。
【００２４】
密閉型圧縮機５０から吐出された冷媒は、冷媒配管を通り、冷蔵庫６０内に設けられた凝縮器、減圧機構を通過し、冷却器６６で冷蔵庫内の熱を吸収して、再び圧縮機内へと戻される。この密閉型圧縮機５０、凝縮器、減圧機構及び冷却器６６からなる冷凍サイクルには、プロパンやイソブタンなどの炭化水素系の冷媒が使用されている。
【００２５】
次に、図１、図３、図４、図５を用いて密閉型圧縮機５０の給油構造について説明する。図３はクランクシャフト７の略断面図、図４は図１と同様、密閉型圧縮機５０の縦断面図であるが、クランクシャフト７の内部構造を示すために、クランクシャフト７の一部を断面表示している。図５は固定軸部材９の側面図である。クランクシャフト７の外周面の一部に形成された下螺旋溝７ｇは、その一部が潤滑油３５に浸かっている。下螺旋溝７ｇの壁面と副軸受８とで形成される螺旋状の潤滑油通路内においては、クランクシャフト７の回転による壁面移動に伴い、潤滑油３５が粘性の効果で壁面に引きずられ下螺旋溝７ｇ内を下螺旋溝連通孔７ｈに到達するまで上昇する。
【００２６】
一方、クランクシャフト７下端部は中空構造となっており、中空部７ｂが設けられている。中空部７ｂは、一例として、下部が開放端で上部が有底の円筒状形状であり、中繰り加工やドリル加工等によって形成される。中空部７ｂと下螺旋溝７ｇは、下螺旋溝連通孔７ｈにより連通している。中空部７ｂ内には固定軸部材９が挿入されている。固定軸部材９は固定具１０によって、クランクシャフト７回転時においても、回転しないように固定されている。固定軸部材９の外周面には、固定軸螺旋溝９ａが設けられている。固定軸螺旋溝９ａの壁面と中空部７ｂの壁面とで構成される螺旋状の潤滑油通路内においては、クランクシャフト７の回転による壁面移動に伴い、潤滑油３５が粘性の効果で壁面に引きずられ固定軸螺旋溝９ａ内を上昇する。
【００２７】
固定軸部材９は、中空部７ｂ内に設置された時、下螺旋溝連通孔７ｈよりも上側に位置する部分の外径が、下側に位置する部分の外径よりも小さくなっている。これは、下螺旋溝７ｇ内を上昇してきた潤滑油が下螺旋溝連通孔７ｈを通って中空部７ｂ内に流入し、固定軸螺旋溝９ａ内を上昇してきた潤滑油と合流するので、中空部７ｂ内の流路断面積を広くとる必要があるためである。なお、下螺旋溝連通孔７ｈ内では潤滑油に遠心力が加わるものの、下螺旋溝７ｇ内での潤滑油の粘性力による搬送作用の方が遠心力よりも大きいため、潤滑油は下螺旋溝７ｇから中空部７ｂ内に流入することが可能である。
【００２８】
中空部７ｂ内を上昇した潤滑油はその後、上螺旋溝連通孔７ｃを経由して上螺旋溝７ｄ内に流入し、主軸受部１ａを潤滑する。
【００２９】
ここで、圧縮機の低速運転時における軸受潤滑の状況について、図１、図４、図６、図７を用いて本実施例と従来構造を比較しながら説明する。図６は、従来構造の密閉型圧縮機の縦断面図の一例である。従来構造では、クランクシャフト７に設けられた中空部７ｂの下端開口部に、挿入円筒部材２１が差し込まれている。挿入円筒部材２１の下端には、潤滑油吸入孔２１ａが形成されており、中空部７ｂ及び挿入円筒部材２１の内側には潤滑油吸入孔２１ａを通じて潤滑油３５が出入り可能な構造となっている。クランクシャフト７外周面には、螺旋溝７ｊが設けられており、中空部７ｂと螺旋溝７ｊとは下部連通孔７ｉによって連通している。下部連通孔７ｉはクランクシャフト７とロータ６が結合している部位よりも上側に位置している。
【００３０】
ロータ６の回転に伴いクランクシャフト７が回転すると、中空部７ｂ内の潤滑油３５の油面形状は遠心力によって、下に凸の回転放物面のような形状になる。油面が遠心力によって下部連通孔７ｉの位置に到達すると、潤滑油３５は下部連通孔７ｉを通じて螺旋溝７ｊへと流入し、主軸受部１ａを潤滑する。すなわち、従来構造では、クランクシャフト７の摺動部である主軸受部１ａへ潤滑油３５を供給するために、潤滑油３５を下部連通孔７ｉにまで持ち上げる必要がある。その時の潤滑油３５の駆動力は、中空部７ｂ内の潤滑油３５に加わる遠心力である。
【００３１】
一方、本実施例の構造において、クランクシャフト７の摺動部へ潤滑油３５を供給する駆動力は、上述したように、クランクシャフト７の回転運動によって発生する潤滑油３５の粘性力である。この従来構造と本実施例との潤滑油供給の駆動力の違いは、圧縮機の運転速度と給油量の関係に大きな差異を与える。図７は、本実施例と従来構造における、クランクシャフト７の摺動部への給油量と圧縮機運転速度との関係を示したグラフである。この比較試験は、潤滑油粘度及びクランクシャフトの直径が同一の条件で行った。粘性力を駆動力とした場合、給油量はクランクシャフトの回転速度、すなわち圧縮機の運転速度におよそ比例することが文献にも示されている（例えば文献：粘性流体による密封作用に関する研究、日本機械学會論文集、１７（６０）、ｐｐ１２６−１３０（１９５１−１０））。一方、遠心力を駆動力とした場合、遠心力は回転速度の２乗に比例するため、低速域で急激に給油量が減少する特性を持つ。その結果、粘性力を利用した本実施例は従来構造よりもより低速域で給油が可能となる構造となっている。例えば、従来構造の場合、９００ｍｉｎ-1以下の運転速度で十分な給油量を確保することは難しいが、本実施例では５００ｍｉｎ-1程度を含む運転速度においても十分な給油量を確保することが可能となる。
【００３２】
さらに、本実施例では粘性力を生み出す潤滑油経路である螺旋溝をクランクシャフト７の外周に設けている。この構造は、クランクシャフト７外周面と副軸受８及び主軸受部１ａとの間に発生する大きな速度差を最大限利用できるものである。本実施例では、中空部７ｂ内にも固定軸部材９を挿入することで固定軸螺旋溝９ａを構成しており、この給油機構は中空部７ｂと固定軸部材９との速度差を利用して粘性力を発生させている。静止部材と回転部材の速度差は、移動壁面の回転半径に依存するため、中空部７ｂと固定軸部材９との速度差よりもクランクシャフト７外周面と副軸受８及び主軸受部１ａとの間の速度差の方が大きく、結果として潤滑油３５に働く粘性力も大きなものとなる。そのため、低速運転時における給油量確保のためには、潤滑油経路をクランクシャフト７内側よりも外側に設けた方が良い。本実施例では、クランクシャフト７の外側及び内側両方に潤滑油経路を設けていることで、十分な量の給油量を確保することが可能となっている。
【００３３】
圧縮機の運転時には、冷媒圧縮荷重がコネクティングロッド２を通じてクランクピン７ａに加わる。従来構造では、この荷重を主軸受部１ａ上部に設けられた上軸受部と、主軸受部１ａ下端に設けられた下軸受部により軸支している。図６中の白抜き矢印は、圧縮動作時のシャフトに加わる主な外力を模式的に示したものである。この３つの力はクランクピン７ａを力点、主軸受部１ａ上部の上軸受部を支点、主軸受部１ａ下端の下軸受部を作用点とした関係にある。そのため、主軸受部１ａに設けられた上軸受部と下軸受部間の距離が短いほど、軸受に加わる荷重が大きなものとなる。油膜形成を利用した軸受では、軸受に加わる荷重が小さく、軸の回転速度が大きいほど形成される油膜厚さが大きくなる。そのため、軸の回転速度が小さい時には油膜破断による摩擦損失増大やかじり、摩耗といった信頼性の低下が懸念される。
【００３４】
圧縮機の低速運転時、この油膜破断の恐れが生じるが、これは摺動面に潤滑油が供給されていても同様である。よって、圧縮機の低速運転には給油のみならず、クランクシャフト７を軸支する軸受への荷重を低減させることが重要となる。従来構造では、クランクシャフト７に潤滑油３５を掻き乱さない位置でロータ６を固定する必要があるため、主軸受部１ａに設けられた上軸受と下軸受間の距離には制約がある。すなわち、軸受への荷重低減を目的に主軸受部１ａに設けられた上軸受と下軸受間の距離を大きく取ろうとした場合、圧縮機の高さ方向の大きさを拡大する必要がある。
【００３５】
一方、本実施例の構造ではクランクピン７ａに加わる冷媒圧縮荷重を主軸受部１ａと、ロータ６よりも下方に位置する副軸受８にて軸支している。このとき、クランクピン７ａを力点とすると、主軸受部１ａが支点、副軸受８が作用点の関係になる。副軸受８はクランクシャフト７とロータ６との固定位置よりも下方にあるため、主軸受部１ａと距離を持って配置することができる。すなわち、圧縮機の高さ方向の大きさを維持したまま軸受への荷重低減が可能な構造となっている。本実施例では従来構造の主軸受部１ａ下端の下軸受部よりも下方に副軸受８が位置しているため、クランクシャフト７を軸支する軸受荷重が低減しており、低速運転時においても油膜破断を抑えた構造である。
【００３６】
本実施形態によれば、低速運転時に摺動部に十分に潤滑油を供給することが可能で、且つクランクシャフトの摺動部の軸受負荷を低減することが可能となるため、低速運転が可能で、低速運転時における摩擦損失が小さい小型化した密閉型圧縮機を提供することができる。
【００３７】
さらに、当該圧縮機を冷蔵庫に搭載すれば、消費電力量が少なく信頼性の高い冷蔵庫を提供することができる。
【実施例２】
【００３８】
次に本発明の第２の実施例について図８を用いて説明する。なお、基本構成は実施例１と同様であり、同一の構成については同一符号を付して説明を省略し、異なる点を中心に記述する。図８は本実施形態の実施例２における密閉型圧縮機の縦断面図である。
【００３９】
本実施例では、副軸受８及び主軸受部１ａはクランクシャフト７をすべり軸受にてラジアル方向に軸支している。一方、スラスト方向は主軸受部１ａ上部に設置したスラストボールベアリング１１にて軸支している。本実施例は、実施例１と軸受構成が異なっているものの、クランクシャフト７をラジアル方向に軸支する主軸受部１ａと副軸受８の間隔を大きくとることが可能な構造である点で共通であり、軸受負荷低減に配慮がなされている。また、クランクシャフト７の外周面で、且つ主軸受部１ａと副軸受８に相対する部分に給油用の螺旋溝が形成されており、低速運転時における給油量確保が可能な構造である。
【００４０】
よって、本実施例によれば、低速運転時に摺動部に十分に潤滑油を供給することが可能でかつ、クランクシャフトの摺動部の軸受負荷を低減することが可能となるため、低速運転が可能で、低速運転時における摩擦損失が小さい小型の密閉型圧縮機を提供することができる。
【００４１】
さらに、当該圧縮機を冷蔵庫に搭載すれば、消費電力量が少なく信頼性の高い冷蔵庫を提供することができる。
【００４２】
以上、各実施例は、密閉容器内に電動要素と、圧縮要素とを備え、前記圧縮要素は、シリンダと、該シリンダ内を往復動するピストンと、該ピストンが接続される偏心部を有するクランクシャフトと、を有し、前記電動要素は、前記クランクシャフトの非偏心部に固定されたロータを有し、前記クランクシャフトの前記非偏心部の外表面には、前記ロータが固定された部位の上側と下側に螺旋溝を有する。これにより、粘性力を利用した本実施例は従来構造よりもより低速域で給油することができる。
【００４３】
また、前記クランクシャフトの前記ロータが固定された部位の上側と下側に、前記クランクシャフトを軸支する軸受を設ける。これにより、クランクシャフトを軸支する軸受荷重が低減して、低速運転時においても油膜破断を抑えることができる。
【００４４】
また、螺旋溝のうち下側の一部が前記密閉容器内に貯留する潤滑油に浸かる。これにより、潤滑油が螺旋溝を上昇し易くすることができる。
【００４５】
また、上側の軸受と接触する前記クランクシャフトの前記非偏心部の軸径は、前記下側の軸受と接触する前記クランクシャフトの前記非偏心部の軸径よりも大きい。これにより、複数の螺旋溝をそれぞれ上昇してきた潤滑油の流量に応じた流路断面積となり、潤滑油の給油効率が向上する。
【００４６】
また、密閉型圧縮機と、該密閉型圧縮機と冷媒配管で連結された冷却器と、を備えた冷蔵庫において、前記密閉型圧縮機は、各実施例のいずれかに記載された密閉型圧縮機であって、５００ｍｉｎ-1を含む運転速度で運転する。これにより、冷蔵庫の消費電力量を低減することができる。
【符号の説明】
【００４７】
１…シリンダ、１ａ…主軸受部、１b…フレーム、２…コネクティングロッド、３…密閉容器、４…ピストン、５…ステータ、６…ロータ、７…クランクシャフト、７ａ…クランクピン、７ｂ…中空部、７ｃ…上螺旋溝連通孔、７ｄ…上螺旋溝、７ｇ…下螺旋溝、７ｈ…下螺旋溝連通孔、７ｉ…下部連通孔、７ｊ…螺旋溝、８…副軸受、８ａ…ラジアルボールベアリング、９…固定軸部材、９ａ…固定軸螺旋溝、１０…固定具、１１…スラストボールベアリング、１７…ヘッドカバー、２０…圧縮要素、２１…挿入円筒部材、２１ａ…潤滑油吸入孔、２５…バランスウェイト、３０…電動要素、３５…潤滑油、４０…吐出弁装置、５０…密閉型圧縮機、６０…冷蔵庫、６１…冷蔵庫本体、６２…冷蔵室、６３…上段冷凍室、６４…下段冷凍室、６５…野菜室、６６…冷却器
【図１】
2014156803.tif 000003
【図２】
2014156803.tif 000004
【図３】
2014156803.tif 000005
【図４】
2014156803.tif 000006
【図５】
2014156803.tif 000007
【図６】
2014156803.tif 000008
【図７】
2014156803.tif 000009
【図８】
2014156803.tif 000010